(57)【要約】【課題】  本発明は、乳房の大きさ及び形状に合うように円錐状に容易に変形させることができ且つ膏体層を汚染することなく乳房上に貼着させることができる乳房用皮膚外用貼付剤を提供する。【解決手段】  本発明の乳房用皮膚外用貼付剤は、乳頭を挿通させるための挿通孔が中央部に形成されたドーナツ状の支持体の裏面に膏体層が積層一体化されていると共に、上記支持体の一部に該支持体の外周縁から上記挿通孔に連通した切欠き部が形成されてあり、この切欠き部を介して対向した端縁間を狭めることによって円錐形状に変形可能に構成されてなる乳房用皮膚外用貼付剤であって、上記支持体の外周縁における切欠き部の両側近傍部の夫々に舌片形状の突起部が突設されていることを特徴とする。【選択図】    図１
2007037562.tif 000002
【特許請求の範囲】
【請求項１】
乳頭を挿通させるための挿通孔が中央部に形成されたドーナツ状の支持体の裏面に膏体層が積層一体化されていると共に、上記支持体の一部に該支持体の外周縁から上記挿通孔に連通した切欠き部が形成されてあり、この切欠き部を介して対向した端縁間を狭めることによって円錐形状に変形可能に構成されてなる乳房用皮膚外用貼付剤であって、上記支持体の外周縁における切欠き部の両側近傍部の夫々に舌片形状の突起部が突設されていることを特徴とする乳房用皮膚外用貼付剤。
【請求項２】
突起部が支持体の上半部に突設されていることを特徴とする請求項１に記載の乳房用皮膚外用貼付剤。
【請求項３】
ＪＩＳ  Ｌ１０９６の８．１９．１に記載のＡ法（４５°カンチレバー法）に準拠して測定した剛軟度が１５〜１００ｍｍであることを特徴とする請求項１又は請求項２に記載の乳房用皮膚外用貼付剤。
【請求項４】
ドーナツ状の支持体に挿通孔及び切欠き部が左右対称に形成されており、挿通孔の周縁に接し且つ突起部の突出基端のうちの下側突出基端を通る直線が支持体の外周縁と交差する点と、上記突起部の下側突出基端とが対称軸を中心にして互いに反対側に位置していると共に、突起部の突出基端のうちの下側突出基端が支持体の上半部に位置していることを特徴とする請求項１に記載の乳房用皮膚外用貼付剤。
【発明の詳細な説明】
【技術分野】
【０００１】
本発明は、乳房に貼着して用いられる乳房用皮膚外用貼付剤に関する。
【背景技術】
【０００２】
従来から、女性の乳房の美肌や、乳房への薬効成分の適用を目的として各種剤形の化粧品、医薬品及び医薬部外品が提供されており、これらの多くは液剤や軟膏・クリーム形態である。
【０００３】
ところが、液剤は、使用時に取り扱いにくいという問題を有し、軟膏・クリーム形態のものは、使用後に指先を洗浄する必要があると共に、塗布後もべたつき、着衣に移行して着衣を汚染する虞れがあるといった問題点を有していた。
【０００４】
一方、貼付剤は、上記の如き問題は発生せず、有効成分を長時間に亘って閉塞的に皮膚に適用することができる。しかしながら、貼付剤は、液剤や軟膏・クリーム形態のものとは異なり、一定の形状を有している一方、女性の乳房は、円錐形状であって人によって大きさ及び形状を異にすることから、様々な大きさ及び形状を有する女性の乳房に安定的に密着させることができないといった問題点を有していた。
【０００５】
この問題を解決するために、貼付剤自体に伸縮性及び柔軟性を付与し、或いは、貼付剤の形状を予め乳房の形状に合致した形状としておくことが考えられる。しかしながら、貼付剤自体に伸縮性及び柔軟性を付与すると、貼付剤が軟弱となって腰が失われ、その結果、使用時に貼付剤が不測に折れ曲がり、貼付剤の膏体層同士がくっついてしまい、貼付剤が使用できなくなる事態が発生するといった問題点を生じた。
【０００６】
又、貼付剤の形状を予め乳房の形状に合致した形状とする場合には、貼付剤の製造工程が煩雑となり、或いは、貼付剤が嵩高くなって、貼付剤の製造効率や輸送効率が低下すると共に、個々人毎に微妙に異なる乳房の大きさや形状に円滑に対応することができず、貼付剤を乳房に安定的に密着させた状態に貼付させることができないといった問題点を有していた。
【０００７】
上記問題点に鑑みて、特許文献１には、フィルム状ないしシート状の支持体にはその片側面に、水分を含有する粘着剤層を積層した外皮貼着型の貼付剤において、前記支持体はその形状がドーナツ状であって、一条のスリットから半ドーナツ形の範囲になるように切り線乃至切り欠きが形成されていることを特徴とする外用貼付剤が提案されている。
【０００８】
しかしながら、上記外用貼付剤は、支持体の中心部に、乳頭を挿通させるための挿通孔を形成している上に、支持体は、柔軟なフィルム又はシートから形成されていることから、極めて腰が弱いものであり、使用時に、膏体層上の剥離紙を剥離する際に支持体が捻じれてしまって膏体層同士がひっついてしまい、乳房上の所望位置への貼付はおろか、乳房上に貼付することさえもできないといった問題点を有していた。
【０００９】
しかも、上記外用貼付剤の膏体層上から剥離紙を剥離した後に、貼付剤を指先で把持しなければならず、外用貼付剤の膏体層が指先で汚染され、有効成分を皮膚に効果的に適用することができないといった問題点も生じていた。
【特許文献１】特開平５−２００１０５号公報
【発明の開示】
【発明が解決しようとする課題】
【００１０】
本発明は、乳房の大きさ及び形状に合うように円錐状に容易に変形させることができ且つ膏体層を汚染することなく乳房上に貼着させることができる乳房用皮膚外用貼付剤を提供する。
【課題を解決するための手段】
【００１１】
本発明の乳房用皮膚外用貼付剤は、乳頭を挿通させるための挿通孔が中央部に形成されたドーナツ状の支持体の裏面に膏体層が積層一体化されていると共に、上記支持体の一部に該支持体の外周縁から上記挿通孔に連通した切欠き部が形成されてあり、この切欠き部を介して対向した端縁間を狭めることによって円錐形状に変形可能に構成されてなる乳房用皮膚外用貼付剤であって、上記支持体の外周縁における切欠き部の両側近傍部の夫々に舌片形状の突起部が突設されていることを特徴とする。
【００１２】
そして、上記乳房用皮膚外用貼付剤において、突起部が支持体の上半部に突設されていることを特徴とする。
【００１３】
又、上記乳房用皮膚外用貼付剤において、ＪＩＳ  Ｌ１０９６の８．１９．１に記載のＡ法（４５°カンチレバー法）に準拠して測定した剛軟度が１５〜１００ｍｍであることを特徴とする。
【００１４】
更に、上記乳房用皮膚外用貼付剤において、ドーナツ状の支持体に挿通孔及び切欠き部が左右対称に形成されており、挿通孔の周縁に接し且つ突起部の突出基端のうちの下側突出基端を通る直線が支持体の外周縁と交差する点と、上記突起部の下側突出基端とが対称軸を中心にして互いに反対側に位置していると共に、突起部の突出基端のうちの下側突出基端が支持体の上半部に位置していることを特徴とする。
【発明の効果】
【００１５】
本発明の乳房用皮膚外用貼付剤は、乳頭を挿通させるための挿通孔が中央部に形成されたドーナツ状の支持体の裏面に膏体層が積層一体化されていると共に、上記支持体の一部に該支持体の外周縁から上記挿通孔に連通した切欠き部が形成されてあり、この切欠き部を介して対向した端縁間を狭めることによって円錐形状に変形可能に構成されてなる乳房用皮膚外用貼付剤であって、上記支持体の外周縁における切欠き部の両側近傍部の夫々に舌片形状の突起部が突設されていることを特徴とするので、突起部を把持することによって、乳房用皮膚外用貼付剤を折れ曲がることなく安定的に支持することができる。そして、乳房用皮膚外用貼付剤の突起部を把持して突起部同士を互いに近接させ、これら突起部に加えた力を乳房用皮膚外用貼付剤全体に確実に伝達させて乳房用皮膚外用貼付剤を折れ曲がることなく所望大きさの円錐形状に円滑に変形させることができる。
【００１６】
しかも、乳房用皮膚外用貼付剤を円錐形状に変形させるに際して突起部を把持しており、膏体層を汚染することなく乳房用皮膚外用貼付剤を円錐形状に変形させることができ、膏体層中の有効成分を乳房に効果的に適用することができる。
【００１７】
更に、上記乳房用皮膚外用貼付剤において、突起部が支持体の上半部に突設されている場合には、突起部に加えた力を乳房用皮膚外用貼付剤全体に更に確実に伝達させて乳房用皮膚外用貼付剤を所望大きさの円錐形状により円滑に変形させることができる。
【００１８】
又、上記乳房用皮膚外用貼付剤において、ＪＩＳ  Ｌ１０９６の８．１９．１に記載のＡ法（４５°カンチレバー法）に準拠して測定した剛軟度が１５〜１００ｍｍである場合には、乳房用皮膚外用貼付剤を円錐形状に更に円滑に変形させることができる。
【００１９】
そして、上記乳房用皮膚外用貼付剤において、ドーナツ状の支持体に挿通孔及び切欠き部が左右対称に形成されており、挿通孔の周縁に接し且つ突起部の突出基端のうちの下側突出基端を通る直線が支持体の外周縁と交差する点と、上記突起部の下側突出基端とが対称軸を中心にして互いに反対側に位置していると共に、突起部の突出基端のうちの下側突出基端が支持体の上半部に位置している場合には、突起部を把持することによって、乳房用皮膚外用貼付剤を折れ曲がらせることなく更に安定的に支持することができると共に、突起部に加えた力を乳房用皮膚外用貼付剤全体に更に確実に伝達させて乳房用皮膚外用貼付剤を折れ曲がることなく所望大きさの円錐形状に円滑に変形させることができる。
【発明を実施するための最良の形態】
【００２０】
本発明の乳房用皮膚外用貼付剤の一例を図面を参照しながら説明する。乳房用皮膚外用貼付剤Ａの支持体１は、図１に示したように、柔軟性を有する一定厚みの平面真円形状のシートの中央部に、乳頭を挿通させるための平面真円形状の挿通孔２を該シートの表裏面間に亘って貫通した状態に貫設することによってドーナツ形状に形成されてなる。なお、シートの中心1aと、挿通孔の中心2aとが合致するように構成されている。
【００２１】
上記支持体１を構成するシートとしては、柔軟性を有しておれば、従来から貼付剤に用いられているものを用いることができ、レーヨン、ポリエステル系繊維、ポリオレフィン系繊維、ポリアクリル系繊維などの合成樹脂繊維からなる織布や不織布、ポリエチレンなどのポリオレフィン系樹脂、ポリ塩化ビニル、ポリエチレンテレフタレートなどのポリエステル系樹脂、ポリウレタン系樹脂、エチレン−酢酸ビニル共重合体などの合成樹脂からなるシート或いはフィルム、アルミニウムなどの金属箔、これらを積層一体化してなる複合シートなどが挙げられる。
【００２２】
更に、上記ドーナツ形状の支持体１の一部をその内外方向の全幅に亘って、即ち、挿通孔２の周縁から支持体１の外周縁に至るまで切除することによって、上記支持体１の外周縁から上記挿通孔２に連通し且つ支持体１の外周縁から挿通孔２側に向けて徐々に幅狭くなった平面扇形状の切欠き部３が形成されている。そして、この切欠き部３は、支持体１の中心1aを通る対称軸Ｌを中心にして線対称となるように構成されている。
【００２３】
そして、上記支持体１の外周縁における切欠き部３の両側近傍部の夫々に、舌片形状の突起部４、４が上記対称軸Ｌを中心にして左右対称に突設されている。この突起部４、４は、切欠き部３の両側近傍部に突設されていることから、突起部４、４を指先で把持して互いに近接させて生じる変形力を乳房用皮膚外用貼付剤Ａ全体に伝達させて乳房用皮膚外用貼付剤Ａを所望高さを有する円錐形状に円滑に変形させることができる。
【００２４】
しかも、突起部４、４は、切欠き部３の両側近傍部に突設されていることから、この突起部４、４を指先で把持して乳房用皮膚外用貼付剤Ａを支持した場合、乳房用皮膚外用貼付剤の切欠き部３を介して対向する端縁部11、11が不測に折れ曲がるのを防止しながら、乳房用皮膚外用貼付剤Ａを全体的に折れ曲がることなく安定的に支持することができる。
【００２５】
更に、上記突起部４の好ましい突設形態としては、挿通孔２の周縁に接し且つ突起部４の突出基端のうちの下側突出基端41を通る直線Ｍが支持体１の外周縁と交差する点Ｙと、上記突起部４の下側突出基端41とが対称軸Ｌを中心にして互いに反対側に位置していると共に、突起部４の下側突出基端41が支持体１の上半部、具体的には、支持体１の中心1aを通る水平線Ｎよりも上方に位置していることが好ましい。
【００２６】
このように突起部４を支持体１の外周縁に突設することによって、突起部４、４を指先で把持して互いに近接させ或いは離間させる方向に変位させた際に生じる変形力を支持体１全体に更に確実に伝達させて支持体１を所望高さを有する円錐形状に更に円滑に変形させることができる。
【００２７】
又、図２に示したように、上記支持体１の裏面には膏体層５が全面的に積層一体化されており、この膏体層５上には剥離可能に剥離紙６が積層一体化されている。この膏体層５は、従来から貼付剤の膏体層として用いられている粘着性材料が用いられる。このような粘着性材料としては、特に限定されず、アクリル系粘着剤、ゴム又はシリコンなどが挙げられる。なお、支持体１に突設された突起部４、４には、膏体層５が積層一体化されていても積層されていなくてもよい。
【００２８】
更に、上記膏体層５には、ビタミンＥ、ビタミンＣ又はその誘導体などのビタミン類などの有効成分や、薬剤が添加され、その他に、上記膏体層５には、ロジンエステルなどの粘着物性を調節するための添加物や、ミリスチン酸イソプロピルなどの、有効成分や薬剤の吸収性を高めるための吸収促進剤が適宜、必要に応じて添加されてもよい。
【００２９】
そして、乳房用皮膚外用貼付剤ＡにおけるＪＩＳ  Ｌ１０９６の８．１９．１に記載のＡ法（４５°カンチレー法）に準拠して測定した剛軟度は、小さいと、支持体の腰が弱くなり過ぎて取り扱い性が低下することがある一方、大きいと、乳房用皮膚外用貼付剤を乳房上に安定的に密着した状態に貼付することができないことがあるので、１５〜１００ｍｍが好ましい。
【００３０】
次に、上記乳房用皮膚外用貼付剤の使用要領について説明する。先ず、乳房用皮膚外用貼付剤Ａの突起部４、４を指先で把持しながら、乳房用皮膚外用貼付剤Ａの剥離紙６を全て剥離、除去して膏体層５を全面的に露出させる。
【００３１】
この際、乳房用皮膚外用貼付剤Ａにおける切欠き部３の近傍部に突設した突起部４、４を指先で把持していることから、最も変形が生じ易い、切欠き部３を介して対向した端縁部11、11の変形を確実に防止して、乳房用皮膚外用貼付剤Ａが折れ曲がらないようにしており、乳房用皮膚外用貼付剤Ａの膏体層５上から剥離紙６を剥離する際に、乳房用皮膚外用貼付剤Ａが不測に折れ曲がって膏体層５同士がひっついてしまうといった事態は発生せず、乳房用皮膚外用貼付剤Ａから剥離紙６を円滑に剥離、除去して膏体層５を全面的に露出させることができる。
【００３２】
続いて、図３に示したように、乳房用皮膚外用貼付剤Ａの突起部４、４を互いに近接させて、切欠き部３を介して対向した端縁31、31間の距離を調整して、乳房用皮膚外用貼付剤Ａを、所望高さを有する円錐状に変形させる。そして、図４に示したように、円錐形状に変形させた乳房用皮膚外用貼付剤Ａをその挿通孔２に乳頭を挿通させた状態に膏体層５によって乳房上に貼着させて膏体層５中の有効成分や薬剤を乳房に適用することができる。
【００３３】
この際、乳房用皮膚外用貼付剤Ａの突起部４、４は、切欠き部３の両側近傍部に突設されており、切欠き部３を介して対向した端縁31、31間の距離を調節するために突起部４、４に加えられる力を、乳房用皮膚外用貼付剤Ａ全体に伝達させて、乳房用皮膚外用貼付剤Ａを不測に折れ曲がらせることなく自分の乳房の形状及び大きさに合った円錐形状に円滑に変形させることができる。
【００３４】
しかも、乳房用皮膚外用貼付剤Ａを円錐形状に変形させるにあたって、乳房用皮膚外用貼付剤Ａの突起部４、４を把持していることから、乳房上に貼着させる膏体層５が指先によって汚染されておらず、清潔な状態の膏体層５を乳房上に貼着させて乳房に有効成分や薬剤を効果的に適用させることができる。
【実施例】
【００３５】
（実施例１）
粘着剤Ａ（積水化学工業社製、アクリル酸２−エチルヘキシル・ビニルピロリドン共重合体（医薬品添加物規格収載品））を乾燥重量として７４重量部、ビタミンＣ（日光ケミカルズ社製  テトラヘキシルデカン酸アスコルビル）５重量部、ビタミンＥ（和光純薬社製  酢酸トコフェノール）１重量部及び流動パラフィン（日興製薬社製）２０重量部を汎用の混合機を用いて均一に混合して塗工液を作製した。
【００３６】
次に、一面が離型処理された剥離紙６の離型処理面に、上記塗工液を乾燥後の厚みが８０μｍとなるように塗工して塗工層を形成した後、この塗工層を８０℃で１０分間に亘って乾燥させて膏体層５を作製し、剥離紙６上に膏体層５が積層一体化されてなる膏体シートを得た。
【００３７】
そして、レーヨン及びポリオレフィン繊維からなる不織布（大和紡績社製  ＪＩＳ  Ｌ１０９６に準拠した剛軟度：１５ｍｍ、坪量：２０ｇ／ｍ２）の一面に、上記膏体シートをその膏体層５が不織布側となるように積層一体化させて積層シートを作製し、この積層シートから乳房用皮膚外用貼付剤Ａを打ち抜いて製造した。なお、乳房用皮膚外用貼付剤Ａは、対称軸Ｌを中心にして左右対称であった。
【００３８】
乳房用皮膚外用貼付剤Ａは、図５に示したように、乳頭を挿通させるための平面真円形状の挿通孔２が中央部に形成されたドーナツ状の不織布からなる支持体１の裏面に膏体層５が積層一体化されていると共に、上記支持体１の一部に該支持体１の外周縁から上記挿通孔２に連通した切欠き部３が形成されており、上記支持体１の外周縁における切欠き部３の両側近傍部の夫々には半円形状の突起部４、４が突設されていた。なお、支持体１の中心1aと、挿通孔２の中心2aとは合致していた。
【００３９】
又、上記支持体１はその外径が６０ｍｍであると共に、上記挿通孔２の直径は１７ｍｍであった。上記切欠き部３の両端縁31、31と挿通孔２の中心2a（支持体１の中心1a）とを結んで得られる二つの直線のなす角度αは４０°であった。突起部４の下側突出基端41と挿通孔２の中心2aとを結ぶ直線と対称軸Ｌとがなす角度β１は６３°で、且つ、突起部４の上側突出基端42と挿通孔２の中心2aとを結ぶ直線と、対称軸Ｌとがなす角度β２は３８°であった。挿通孔２の周縁に接し且つ突起部４の下側突出基端41を通る直線が支持体の外周縁と交差する点Ｙと、上記突起部４の下側突出基端41とが対称軸Ｌを中心にして互いに反対側に位置しており、点Ｙと挿通孔２の中心2aとを結ぶ直線と、対称軸Ｌとがなす角度γは３０°であった。
【００４０】
（実施例２）
支持体１を構成している不織布として、レーヨン及びポリオレフィン繊維からなる不織布（日本バイリーン社製  ＪＩＳ  Ｌ１０９６に準拠した剛軟度：２４ｍｍ、坪量：３２ｇ／ｍ２）を用いたこと以外は実施例１と同様にして乳房用皮膚外用貼付剤Ａを作製した。
【００４１】
（実施例３）
支持体１を構成している不織布として、レーヨン及びポリオレフィン繊維からなる不織布（日本バイリーン社製  ＪＩＳ  Ｌ１０９６に準拠した剛軟度：５５ｍｍ、坪量：５０ｇ／ｍ２）を用いたこと以外は実施例１と同様にして乳房用皮膚外用貼付剤Ａを作製した。
【００４２】
（実施例４）
支持体１を構成している不織布として、レーヨン及びポリオレフィン繊維からなる不織布（日本バイリーン社製  ＪＩＳ  Ｌ１０９６に準拠した剛軟度：９３ｍｍ、坪量：８０ｇ／ｍ２）を用いたこと以外は実施例１と同様にして乳房用皮膚外用貼付剤Ａを作製した。
【００４３】
（実施例５）
支持体１を構成している不織布として、レーヨン及びポリオレフィン繊維からなる不織布（日本バイリーン社製  ＪＩＳ  Ｌ１０９６に準拠した剛軟度：１０２ｍｍ、坪量：１００ｇ／ｍ２）を用いたこと以外は実施例１と同様にして乳房用皮膚外用貼付剤Ａを作製した。
【００４４】
（実施例６）
乾燥後の厚みが１２０μｍとなるように塗工液を剥離紙の離型処理面に塗工して塗工層を形成したこと以外は、実施例５と同様にして乳房用皮膚外用貼付剤Ａを作製した。
【００４５】
（実施例７）
突起部４の下側突出基端41と挿通孔２の中心2aとを結ぶ直線と、対称軸Ｌとがなす角度β１を３８°に、且つ、突起部４の上側突出基端42と挿通孔２の中心2aとを結ぶ直線と、対称軸Ｌとがなす角度β２を１３°とし、挿通孔２の周縁に接し且つ突起部４の下側突出基端41を通る直線が支持体の外周縁と交差する点Ｙと、上記突起部４の下側突出基端41とが対称軸Ｌを中心にして互いに反対側に位置し、点Ｙと挿通孔２の中心2aとを結ぶ直線と、対称軸Ｌとがなす角度γを５°となるように打ち抜いたこと以外は、実施例１と同様にして乳房用皮膚外用貼付剤を得た。
【００４６】
（実施例８）
突起部４の下側突出基端41と挿通孔２の中心2aとを結ぶ直線と、対称軸Ｌとがなす角度β１を８５°に、且つ、突起部４の上側突出基端42と挿通孔２の中心2aとを結ぶ直線と、対称軸Ｌとがなす角度β２を６０°とし、挿通孔２の周縁に接し且つ突起部４の下側突出基端41を通る直線が支持体の外周縁と交差する点Ｙと、上記突起部４の下側突出基端41とが対称軸Ｌを中心にして互いに反対側に位置し、点Ｙと挿通孔２の中心2aとを結ぶ直線と、対称軸Ｌとがなす角度γを５２°となるように打ち抜いたこと以外は、実施例１と同様にして乳房用皮膚外用貼付剤を得た。
【００４７】
（実施例９）
上記挿通孔２の直径を８ｍｍとし、突起部４の下側突出基端41と挿通孔２の中心2aとを結ぶ直線と、対称軸Ｌとがなす角度β１を８８°に、且つ、突起部４の上側突出基端42と挿通孔２の中心2aとを結ぶ直線と、対称軸Ｌとがなす角度β２を６３°とし、挿通孔２の周縁に接し且つ突起部４の下側突出基端41を通る直線が支持体の外周縁と交差する点Ｙと、上記突起部４の下側突出基端41とが対称軸Ｌを中心にして互いに反対側に位置し、点Ｙと挿通孔２の中心2aとを結ぶ直線と、対称軸Ｌとがなす角度γを７３°となるように打ち抜いたこと以外は、実施例１と同様にして乳房用皮膚外用貼付剤を得た。
【００４８】
（実施例１０）
挿通孔２の直径を２６ｍｍとし、切欠き部３の両端縁31、31と挿通孔２の中心2a（支持体１の中心1a）とを結んで得られる二つの直線のなす角度αを２６°とし、突起部４の下側突出基端41と挿通孔２の中心2aとを結ぶ直線と、対称軸Ｌとがなす角度β１を３３°に、且つ、突起部４の上側突出基端42と挿通孔２の中心2aとを結ぶ直線と、対称軸Ｌとがなす角度β２を１３°とし、挿通孔２の周縁に接し且つ突起部４の下側突出基端41を通る直線が支持体の外周縁と交差する点Ｙと、上記突起部４の下側突出基端41とが対称軸Ｌを中心にして互いに反対側に位置し、点Ｙと挿通孔２の中心2aとを結ぶ直線と、対称軸Ｌとがなす角度γを０°となるように打ち抜いたこと以外は、実施例１と同様にして乳房用皮膚外用貼付剤を得た。
【００４９】
（実施例１１）
粘着剤Ｂ（日本アクリル社製  商品名「プライマルＮ−５８０ＮＦ」、メタクリル酸−アクリル酸ｎ−ブチル共重合体を主成分とするアクリル系エマルジョン粘着剤）を乾燥重量として８３重量部、ビタミンＣ（日光ケミカルズ社製  テトラヘキシルデカン酸アスコルビル）３重量部、ビタミンＥ（和光純薬社製  酢酸トコフェノール）１重量部及び流動パラフィン（日興製薬社製）１３重量部を汎用の混合機を用いて均一に混合して塗工液を作製したこと以外は、実施例１と同様にして乳房用皮膚外用貼付剤を得た。
【００５０】
（実施例１２）
突起部４の上側突出基端42と挿通孔２の中心2aとを結ぶ直線と、対称軸Ｌとがなす角度β２を１５°としたこと以外は、実施例１と同様にして乳房用皮膚外用貼付剤を得た。
【００５１】
（実施例１３）
乾燥後の厚みが２００μｍとなるように塗工液を剥離紙の離型処理面に塗工して塗工層を形成したこと以外は実施例１と同様にして乳房用皮膚外用貼付剤を得た。
【００５２】
得られた乳房用皮膚外用貼付剤における、ＪＩＳ  Ｌ１０９６の８．１９．１に記載のＡ法（４５°カンチレバー法）に準拠して測定した剛軟度及び取扱性を下記に示した要領で測定し、その結果を表１に示した。
【００５３】
（取扱性）
乳房用皮膚外用貼付剤Ａの両突起部４、４を指先で把持し、両突起部４、４を互いに近接する方向に変位させることによって乳房用皮膚外用貼付剤Ａを円錐状に変形させた際における乳房用皮膚外用貼付剤Ａの変形させ易さを下記基準に基づいて判断した。１０人の者が上記要領で評価し、１０人の者の評価点数の合計を取扱性とした。なお、実施例２〜８，１１〜１３では１０人全ての者が１０点を付けた。実施例１では８人が１０点をつけたが、２人が５点を付けた。実施例９，１０では９人が１０点をつけたが、１人が５点を付けた。
【００５４】
１０点・・・乳房用皮膚外用貼付剤を極めて容易に円錐形状に変形できた。
５点・・・乳房用皮膚外用貼付剤を容易に円錐形状に変形できた。
０点・・・乳房用皮膚外用貼付剤を円錐形状に変形するには困難を伴った。
【００５５】
【表１】
2007037562.tif 000003
【図面の簡単な説明】
【００５６】
【図１】本発明の乳房用皮膚外用貼付剤を示した平面図である。
【図２】図１の乳房用皮膚外用貼付剤を示した断面図である。
【図３】図１の乳房用皮膚外用貼付剤の円錐形状に変形させた状態を示した斜視図である。
【図４】図１の乳房用皮膚外用貼付剤の使用状態を示した斜視図である。
【図５】本発明の乳房用皮膚外用貼付剤を示した平面図である。
【符号の説明】
【００５７】
１     支持体
２     挿通孔
３     切欠き部
４     突起部     
41     下側突出基端
42     上側突出基端
５     膏体層
６     剥離紙
【図１】
2007037562.tif 000004
【図２】
2007037562.tif 000005
【図３】
2007037562.tif 000006
【図４】
2007037562.tif 000007
【図５】
2007037562.tif 000008